(57)【要約】【課題】１表示画面上において、１チャンネルに関する複数波形をグルーピングして表示できるようにする。【解決手段】表示画面２２上に複数波形をグルーピングするためのアイコン１０を表示する。アイコン１０の頭部１２には、チャンネルを示すＲＦ等の文字と、表示領域の基準位置を示すインディケータである尖頭部１４がある。アイコン本体部１６には、複数波形中のどの波形が現在表示されているかを示す文字（Ｍ、Ａ、Ｎ又はｍ）がある。アイコン中の選択されたアクティブなチャンネルと、選択されたアクティブな波形に対応する文字は、ハイライト表示される。【選択図】図６
2012233894.tif 000002
【特許請求の範囲】
【請求項１】
取り込みデータの１チャンネルに関する複数波形を表示画面の表示領域上でグルーピングする方法であって、
上記表示領域上に上記取り込みデータに関するノーマル波形を表示するステップと、
１チャンネルを示すチャンネル・シンボル及び上記表示画面上に配置されて上記表示領域の基準位置を定義するインディケータを有する第１部分と、上記ノーマル波形を示す波形シンボルを有する第２部分とを有するアイコンを提示するステップと、
上記表示画面上に、上記取り込みデータに関して得られる複数の異なる波形を示すメニューを提示するステップと、
複数の上記異なる波形から上記表示画面上に表示したいものを上記メニューからアクティブにするステップとを具え、
表示するためにアクティブにされた上記異なる波形夫々に関する異なる波形シンボルを上記アイコンの上記第２部分中に表示することを特徴とする複数波形グルーピング表示方法。
【請求項２】
１チャンネルに関する取り込みデータを表す複数波形をグルーピングするためのアイコンを表示画面の表示領域上に表示する波形表示装置であって、
上記アイコンが、
上記１チャンネルに対応するチャンネル・シンボルと、上記表示領域の基準位置を定義するために上記表示画面上に配置されるインディケータとを有する第１部分と、
上記複数波形に対応する複数の波形シンボルを有する第２部分とを具え、
上記第２部分中に表示される特定の上記波形シンボルが、上記複数波形中の上記表示領域上で現在表示されている波形に対応することを特徴とする波形表示装置。
【発明の詳細な説明】
【技術分野】
【０００１】
本発明は、複数の表示波形に関係するアイコンを表示することによって、１つの表示画面上で、１つの入力信号から得られた周波数又は時間領域の複数波形のような１チャンネルを表す複数波形をグルーピングして表示する方法及び装置に関する。
【背景技術】
【０００２】
本願発明は、２０１１年４月２８日に出願された米国仮出願番号第６１／４８０,２８０号に基づく優先権を主張するものである。
【０００３】
従来のスペクトラム・アナライザは、表示画面上で１つの入力チャンネルを、この１つの入力チャンネルから得られた複数の周波数領域波形として描くことができる。例えば、スペクトラム・アナライザは、次のものを表す波形を同時に表示できる。
（１）ライブの信号：通常、ノーマルのラベル（見出し）が付される
（２）時間的に前の信号を用いたライブ信号の平均：通常、平均のラベルが付される
（３）時間的に前の信号を用いたライブ信号の最大値及び最小値比較：通常、最大値保持（ホールド）、最小値保持と夫々ラベルが付される
これら信号は、同じ入力チャンネルから導いているので、表示画面上で、１つの垂直スケールで表示される。
【先行技術文献】
【特許文献】
【０００４】
【特許文献１】特開２００１−３０５１６０号公報
【発明の概要】
【発明が解決しようとする課題】
【０００５】
従来からあるスペクトラム・アナライザと異なり、オシロスコープは複数入力チャンネルからの複数の信号を１つの表示画面の同じ格子（縦横の目盛り）上に表示する。これは、各チャンネルに夫々独立した垂直位置とスケールを割り当てることで実現しており、このために、複数の波形は夫々独立に表示画面上の位置を調整できる。オシロスコープは、同様にして、１つの入力チャンネルについて、１つの入力チャンネルから得られた複数の時間領域波形を表示画面上に描写でき、各波形は独立した垂直位置及びスケールで表示される。
【０００６】
そこで、１つの入力チャンネルから導いた複数波形をグループ分け（グルーピング）を示す識別マークと共に表示画面上に同時に表示する方法が望まれている。この識別マークは、どの波形の測定が進行中かを示すと共に、どの波形が表示されているかを示すものである。
【課題を解決するための手段】
【０００７】
本発明は、グラフィック識別マークを用いて、１入力チャンネルから得られた複数波形をグループ分けする方法を提供する。グラフィック識別マークは、どの波形が表示されているか、そして、測定のために複数波形中のどの１つの波形がアクティブかをユーザに示す。グラフィック識別マークは、表示画面の表示領域の端にアイコンの形で与えられ、このアイコンの第１部分には、その１つのチャンネルを示すシンボルと、表示領域の基準位置を定義するインディケータとがある。また、アイコンには、第２部分があって、これには、複数波形中のどれがその表示領域上で現在表示されているかを示すシンボルがある。波形に関する機能が選択されると、表示画面にメニューが現れ、１チャンネルにつき、別のどの波形が利用可能かが示される。ユーザは、このメニューから、波形を表示するために、その波形を「オン」にしたり、表示領域から波形を消すために、その波形を「オフ」にすることによって、表示領域に表示する波形を選択できる。また、ユーザは、そのメニューから、どの表示波形を測定等の処理のためにアクティブにするかを選択できる。１チャンネルに関するシンボルや波形に関するシンボルは、処理のためにアクティブ状態にあると、ハイライト表示される。ハイライト表示には色があっても良く、ハイライト表示される色は、現在表示されている波形の色に対応したものにすると良い。
【０００８】
本発明の第１概念は、取り込みデータの１チャンネルに関する複数波形を表示画面の表示領域上でグルーピングする方法であって、
上記表示領域上に上記取り込みデータに関するノーマル波形を表示するステップと、
上記１チャンネルを示すチャンネル・シンボル及び上記表示画面上に配置されて上記表示領域の基準位置を定義するインディケータを有する第１部分と、上記ノーマル波形を示す波形シンボルを有する第２部分とを有するアイコンを提示するステップと、
上記表示画面上に、上記取り込みデータに関して得られる複数の異なる波形を示すメニューを提示するステップと、
複数の上記異なる波形から上記表示画面上に表示したいものを上記メニューからアクティブにするステップとを具え、
表示するためにアクティブにされた上記異なる波形夫々に関する異なる波形シンボルを上記アイコンの上記第２部分中に表示することを特徴としている。
【０００９】
本発明の第２概念は、第１概念の方法であって、
処理されるアクティブ波形として、表示されるようにアクティブにされる１波形を複数の上記異なる波形から選択するステップを更に具えている。
【００１０】
本発明の第３概念は、第２概念の方法であって、
上記アクティブ波形に対応する上記アイコン中の上記波形シンボルの１つをハイライト表示するステップを更に具えるている。
【００１１】
本発明の第４概念は、第３概念の方法であって、
上記ハイライト表示するステップが、
上記表示画面上で現在表示されている複数波形の波形色に対応する色を用いて上記波形シンボルの１つをハイライト表示するステップを有している。
【００１２】
本発明の第５概念は、第１概念の方法であって、
上記異なる波形中の現在表示されている波形について、上記表示領域上に表示したくなくなった波形をオフにするステップを更に具えている。
【００１３】
本発明の第６概念は、第１概念の方法であって、
上記ノーマル波形表示ステップが、取り込みデータの複数チャンネルの１チャンネルを表示のために選択するステップを更に有し、
上記アイコンの上記第１部分において、対応するチャンネル・シンボルを用いて、上記複数チャンネルから選択された上記１チャンネルを示すステップを更に具え、選択された上記１チャンネルに関する取り込みデータが表示されることを特徴としている。
【００１４】
本発明の第７概念は、第６概念の方法であって、
取り込みデータの上記複数チャンネルから第２チャンネルを上記表示画面の第２表示領域中に表示すると共に、上記複数チャンネル中の表示された上記第２チャンネルに対応する第２チャンネル・シンボルを有し、上記第２表示領域に関係づけられた第２アイコンを表示するステップと、
処理されるアクティブ・チャンネルとして表示される上記複数チャンネル中の上記１チャンネルと関係づけられた上記アイコン中の上記チャンネル・シンボルをハイライト表示するステップとを更に具えている。
【００１５】
本発明の第８概念は、第７概念の方法であって、上記ハイライト表示するステップが、上記アクティブ・チャンネルと関係づけられた上記チャンネル・シンボルを、上記アクティブ・チャンネルと関係づけられた上記表示領域上に現在表示されている上記波形の波形色に対応する色でハイライト表示するステップを有している。
【００１６】
本発明の第９概念は、１チャンネルに関する取り込みデータを表す複数波形をグルーピングするためのアイコンを表示画面の表示領域上に表示する波形表示装置であって、上記アイコンが、
上記１チャンネルに対応するチャンネル・シンボルと、上記表示領域の基準位置を定義するために上記表示画面上に配置されるインディケータとを有する第１部分と、
上記複数波形に対応する複数の波形シンボルを有する第２部分とを具え、
上記第２部分中に表示される特定の上記波形シンボルが、上記複数波形中の上記表示領域上で現在表示されている波形に対応することを特徴としている。
【００１７】
本発明の第１０概念は、第９概念の波形表示装置であって、上記１チャンネルが処理のために選択されたときに上記チャンネル・シンボルがハイライト表示されると共に、特定の上記波形シンボルの１つがハイライト表示され、現在表示されている上記複数波形中のどの１つの波形が処理のために選択されているかを示すことを特徴としている。
【００１８】
本発明の第１１概念は、第１０概念の波形表示装置であって、上記ハイライト表示において、上記表示領域上で現在表示されている波形の波形色に対応する色を用いることを特徴としている。
【００１９】
本発明の目的、効果及び他の新規な点は、以下の詳細な説明を添付の特許請求の範囲及び図面とともに読むことによって明らかとなろう。
【図面の簡単な説明】
【００２０】
【図１】図１は、本発明の第１実施形態による信号のグルーピングの例を描いた図である。
【図２】図２は、本発明の第１実施形態によるものであって、信号グルーピングを表示するグラフィック識別マークの例を描いたものである。
【図３】図３は、本発明の第２実施形態によるものであって、信号グルーピングを表示するグラフィック識別マークの例を描いたものである。
【図４】図４は、本発明を実施に適した複数チャンネル・オシロスコープのフロント・パネルを描いたものであって、少なくとも１つの無線周波数（ＲＦ）入力チャンを有する例を示している。
【図５】図５は、図４のオシロスコープの表示画面であって、本発明による１つの入力チャンネルに関する初期設定による波形表示の例を示している。
【図６】図６は、図４のオシロスコープの表示画面であって、本発明による２チャンネル表示の例を示している。
【発明を実施するための形態】
【００２１】
本発明を実施する試験測定装置は、図４に示すようなオシロスコープであり、複数入力チャンネルから得られる周波数及び時間の両領域の波形を表示できる。上述のように、複数の入力チャンネルの任意の１つから得られたデータについて複数の波形が生成される。説明の都合上、以下の記述では、１つの入力チャンネルから導いた周波数領域波形の表示について扱うが、１つの入力チャンネルから導いた時間領域波形の表示についても同じく適用可能である。
【００２２】
無線周波数（ＲＦ）信号入力チャンネルから得られた周波数領域波形については、１つの入力チャンネルから複数波形の全てが生成され、図２にアイコンとして列挙したノーマル（Ｎ）、平均（Ａ）、最大値保持（Ｍｘ）、最小値保持（Ｍｎ）が、その入力チャンネル用の１つの共通垂直スケール上で表示される。言い換えると、各入力チャンネルには、夫々独自の垂直スケールと位置の設定があり、その入力チャンネルから生成された複数波形全てに、これらの個別設定が適用される。
【００２３】
図２及び図３を参照すると、使用されるどのアイコンも、各入力チャンネルについての基準位置インディケータ又はグラフィック識別マークとして機能する。基準位置インディケータは、どの波形が現在生成されているかを示す。具体的には、基準位置インディケータは、１つ以上の文字を含んでおり、これは、ノーマルはＮ、平均（Average：スムージング）はＡ、最大値保持（ホールド）はＭ、最小値保持はｍのような文字であり、その入力チャンネルについてどの波形が表示されているかを示す。基準位置インディケータは、また、合致する適切な文字をハイライト表示することによって、どの波形が現在選択されているかについても示す。選択された波形は、測定処理などのような、オシロスコープによる他の波形処理状態にある波形である。更には、基準位置インディケータは、表示画面の目盛りの垂直軸の点（一番上の点など）を定義する識別マークを有することによって、対応する入力チャンネルから生成された複数波形全ての垂直位置を示す。
【００２４】
好ましくは、特定の入力チャンネルに関係する基準位置インディケータ及び全波形は、同じような色調の色にして、互いの関係を明確に示すようにすると良い。基準位置インディケータで示される波形選択と連動して、そのグループ内の選択された特定波形の輝度を高くしても良い。
【００２５】
図３は、基準位置インディケータ１０又はグラフィック識別マーク（アイコン）を示す。基準位置インディケータ１０には、入力チャンネルを示すラベル（この例ではＲＦ）を有する頭部１２と、その入力チャンネル表示について垂直基準レベルを示す尖った先端部（尖頭部）１４を有する三角部とがある。頭部１２の下には、本体部１６があり、ここには、選択された入力チャンネルについて示される波形の種別を示す別の識別マークが示される。波形の種別とは、ＲＦ波形の代表的な選択肢である「Ｎ（ノーマル）」、「Ｍ（最大値保持）」、「Ａ（平均）」及び「ｍ（最小値保持）」である。現在処理中又は測定中の入力チャンネル及び波形の特定の種別は、ハイライト表示で示されるか、色を用いて示される。この色はそのチャンネルについて表示される複数波形の特定色に対応するものとしても良い。
【００２６】
図４に示すオシロスコープ２０には、複数の時間領域入力チャンネル２１とＲＦ入力チャンネル２１’がある。図４では、表示画面２２が、初期設定状態、つまり、入力チャンネルが選択されていないものの、入力チャンネル「１」についての識別マークがある状態で示されている。表示画面２２の横及び下に沿って、複数の操作ボタン２３が並んで配置され、表示画面に表示されるメニューと連動して、種々の機能を実行可能となっている。ＲＦ入力チャンネル２１’については、このチャンネルに関連する複数のボタンがあり、これには、ＲＦチャンネルを表示として選択するためのＲＦ選択ボタン２４が含まれる。ＲＦ選択ボタン２４をアクティブにすると、図５に示すように、ＲＦチャンネル２１’の信号が取り込まれて表示される。表示画面２２は、上側波形表示領域と下側波形表示領域に分割され、ＲＦ取り込みデータは下側表示領域に表示されると共に、グラフィック識別マーク１０がその左端に表示される。表示画面２２の上側波形表示領域は、入力チャンネル２１からの別の入力による取り込み波形の表示に利用できるように空いたままであり、この例では初期設定のチャンネル「１」が、左端のグラフィック識別マーク１０で示されている。このとき、上側波形表示領域については、そのチャンネルについて、何の信号も表示されていないので、グラフィック識別マーク１０には、チャンネル・ラベルだけが示されており、また、アクティブなチャンネルではないので、ラベルはハイライト表示されていない。
【００２７】
図５の表示画面２２の下側波形表示領域を見ると、アイコン１０が下側波形表示領域の一番上にあり、ＲＦ取り込み波形データで利用可能な表示領域に関する垂直基準レベルを示す。表示画面２２の下部に並ぶソフトウェア・ボタン２５は、図４に示した表示画面２２下の操作ボタン２３に対応している。図示しているのは、取り込んだＲＦ波形データにおける標準的な表示であるので、アイコン１０は、その頭部１２で「ＲＦ」チャンネルが表示されていることを示し、アイコン１０の本体部１６の「Ｎ」で、ノーマル波形が表示されていることを示す。「スペクトラム・トレース」ソフト・ボタン２５に対応する操作ボタン２３を押すことで、スペクトラム・トレース・メニュー２６が画面右端に沿って現れ、図４に示した画面横の操作ボタン２３と対応する位置に、オプションのメニューが現れる。初期設定では、ノーマル波形だけが「オン」として示され、ＲＦチャンネルについて可能性のある他の波形は「オフ」として示されている。画面横の操作ボタン２３を操作すると、対応する表示モードについて、「オン」となって処理又は測定が選択されるか、又は、もし既にオンなら「オフ」になる。
【００２８】
取り込んだＲＦデータに関する別の表示波形をオンにするために、画面横の操作ボタン２３を押すと、アイコン１０の本体部１６には、アクティブになった表示波形が現れていることを示すために、別の識別マークがアイコンに追加される。これに伴って、スペクトラム・トレース・メニュー２６にも、表示波形の状態が反映される。ＲＦチャンネルに関する全ての波形が表示されたときに、画面横の操作ボタン２３を操作すると、処理又は測定される特定の表示波形が選択される。既にオンの波形について、画面横の操作ボタン２３を押したままにすると、その特定の表示波形がオフとなり、表示画面２２からその波形が消える。これに代えて、画面横の操作ボタン２３を２回押すと、波形を一度選択し、次にその波形をオフにし、やはり、その波形が表示画面２２から消える。アイコン１０は、いつの時点においても、どの波形が表示されているかを示し、表示される波形中のどの特定の１つの波形が処理中であるかを示す。ＲＦチャンネルに関するその特定のアクティブな波形は、その波形の色の彩度（saturation）を変えるなど、波形の輝度（intensity）を変えることによって、他の波形と区別できるようにしても良い。
【００２９】
図６は、表示画面２２の一部分を示し、ここでは、２チャンネル（この例では、時間領域のチャンネル「２」とＲＦチャンネル）が表示用に選択されている。この例では、各チャンネルにつき１つ、合計で２つのアイコン１０があり、頭部１２がその特定チャンネルを示し、尖頭部１４は、垂直基準レベル、つまり、その特定チャンネル表示の表示領域の一番上を示す。アイコン１０夫々の本体部１６は、各チャンネルについて、どの特定波形（Ｍ、Ａ、Ｎ、ｍ）を表しているか、そして、どの波形が現在選択されているか、を示す。選択された入力チャンネルは、対応するアイコン１０でハイライト表示され、そのチャンネル内の特定波形もハイライト表示される。波形の色は、対応するチャンネルのアイコン１０とマッチしており、例えば、チャンネルが選択されたとき、図６の上側波形表示領域内の波形が緑なら、そのアイコンも緑で表示されるし、上側波形表示領域内の波形はオレンジで表示される。もしもっと多くのチャンネルが信号を受けるなら、表示画面２２は、もっと多くの表示領域に分割され、１つの表示領域が各信号を受けたチャンネルに割り当てられる。しかし、いつの時点でも処理のためにアクティブなのは、１チャンネルだけである。
【００３０】
以上のように、本発明は、アイコンを表示することによって、１表示画面の１表示領域上で、１チャンネルに関する複数波形をグルーピング（グループ分け）する手段を提供する。アイコンには、選択チャンネルの識別マークと、表示領域に関する基準位置を示すインディケータとがあり、加えて、選択チャンネルに関して、どの波形が表示されているかと、処理又は測定のために複数波形中のどの１つの波形がアクティブかを示す部分がある。
【符号の説明】
【００３１】
１０  アイコン（基準位置インディケータ）
１２  頭部
１４  尖頭部
１６  アイコン本体部
２０  オシロスコープ
２１  入力チャンネル
２１’ＲＦチャンネル
２２  表示画面
２３  操作ボタン
２４  ＲＦ選択ボタン
２５  ソフト・ボタン
２６  スペクトラム・トレース・メニュー
【図１】
2012233894.tif 000003
【図２】
2012233894.tif 000004
【図３】
2012233894.tif 000005
【図４】
2012233894.tif 000006
【図５】
2012233894.tif 000007
【図６】
2012233894.tif 000008